(57)【要約】【課題】機械的強度に優れ、且つ天然木材に近い質感を持ち、リサイクル可能で、環境に優しい建築用板状材の提供。【解決手段】ポリアミドと、ポリエチレンテレフタラートと、木質材料とにより作製され、且つ内部に複数の空洞３が形成されている板状本体１の一面が暗色系塗料により塗装されていることを特徴とする建築用板状材を提供する。前記暗色系塗料は共押出成形法により前記板状本体と一体に形成され、また前記板状本体は、前記ポリアミドと前記ポリエチレンテレフタラートとを相溶化するための相溶化剤を更に含む。【選択図】図１
0003173344.tif 000002
【実用新案登録請求の範囲】
【請求項１】
ポリアミドと、ポリエチレンテレフタラートと、木質材料とにより作製され、且つ内部に複数の空洞が形成されている板状本体の一面が暗色系塗料により塗装されていることを特徴とする建築用板状材。
【請求項２】
前記暗色系塗料は共押出成形法により前記板状本体と一体に形成されたことを特徴とする請求項１に記載の建築用板状材。
【請求項３】
前記板状本体は、前記ポリアミドと前記ポリエチレンテレフタラートとを相溶化するための相溶化剤を更に含んだことを特徴とする請求項１または請求項２に記載の建築用板状材。
【請求項４】
前記板状本体は変性剤を更に含むことを特徴とする請求項１〜請求項３のいずれか一項に記載の建築用板状材。
【請求項５】
前記板状本体は難燃剤を更に含むことを特徴とする請求項１〜請求項４のいずれか一項に記載の建築用板状材。
【考案の詳細な説明】
【技術分野】
【０００１】
本考案は建築用板状材に関し、特に、リサイクルできる上、環境に優しい建築用板状材に関する。
【背景技術】
【０００２】
従来より、建材のコストを削減するため、原木から必要な寸法に切り出した素材の代わりに、複数の安価な木質板を積層して成った複合板材を建材として採用している。また、板材の表面に天然木材に近い質感を持つ合板を貼り付けることにより、建材をより良い質感にすることもできる。しかし、このような複合板材は接着剤により複数の木質板を貼り合わせて成ったものなので、ホルムアルデヒドなどの人体に有害な揮発性有機化合物を発散する虞がある上、リサイクルもできないという欠点があるため、徐々に市場から淘汰されている。
【０００３】
地球資源を再利用し天然木材への依存を減らすために、汎用プラスチックを基材として、着色や仕上げ加工を通じて表面に木目模様が付けられる建材や、汎用プラスチックと木質材料を混ぜ合わせて成る樹脂組成物、いわゆる木材・プラスチック複合材（Ｗｏｏｄ−Ｐｌａｓｔｉｃ Ｃｏｍｐｏｓｉｔｅ、略して「ＷＰＣ」）も開発されている。また、汎用プラスチックを利用することにより建材の物性を向上させることもできる。
【０００４】
ＷＰＣに使われている汎用プラスチック基材はポリプロピレン（ＰＰ）、硬質ポリ塩化ビニル（ＰＶＣ）及びポリエチレン（ＰＥ）が用いられており、ＰＶＣは、加工性や製品の多様性に優れ、しかも発泡しやすいので軽量化も可能である。しかし、ＰＶＣ製品からの塩素イオンの析出が問題になるので、欧米などの先進国ではＰＶＣを含んでいる製品の輸入が拒否されている。一方、ＰＰ、ＰＥで製作したＷＰＣには、値段も安く材料も入手しやすいだけでなく、機械的強度が優れるなどの利点がある。しかし、ＰＰ、ＰＥは結晶性材料であるため、材料自体の光沢によりＷＰＣ製品にプラスチック感を与えてしまい、たとえ印刷で木目模様のプリント合板を形成したり、或いは木質材料の割合を向上させたりしても（５０重量％以上）、天然木材に近い質感を持つＷＰＣ製品の製作はやはり難しい。
【考案の概要】
【考案が解決しようとする課題】
【０００５】
上記従来の複合建材の問題点に鑑み、本考案は、機械的強度に優れ、且つ天然木材に近い質感を持ち、リサイクル可能で、環境に優しい建築用板状材を提供することを目的とする。
【０００６】
また、本考案は、寸法安定性が良好な建築用板状材の提供を更なる目的とする。
【課題を解決するための手段】
【０００７】
上記目的を達成すべく、本考案はポリアミドと、ポリエチレンテレフタラートと、木質材料とにより作製され、且つ内部に複数の空洞が形成されている板状本体の一面が暗色系塗料により塗装されていることを特徴とする建築用板状材を提供する。
【０００８】
上記建築用板状材において、前記暗色系塗料は共押出成形法により前記板状本体と一体に形成されることが好ましい。
【０００９】
上記建築用板状材において、前記板状本体は、前記ポリアミドと前記ポリエチレンテレフタラートとを相溶化するための相溶化剤を更に含むことが好ましい。
【００１０】
上記建築用板状材において、前記板状本体は変性剤を更に含むことが好ましい。
【００１１】
上記建築用板状材において、前記板状本体は難燃剤を更に含むことが好ましい。
【考案の効果】
【００１２】
上記構成により、本考案の建築用板状材に使用されるポリアミド及びポリエチレンテレフタラートはプラスチック感がＰＰ、ＰＥほど顕著ではない材料であるため、木質材料の添加により天然木材に近い質感を持たすことが可能である。更に、板状本体に相溶化剤を加えてポリアミドとポリエチレンテレフタラートとを相溶化することによって、機械的強度に優れ、リサイクル可能で、環境に優しく、寸法安定性が良好であるなどの利点が得られる。
【図面の簡単な説明】
【００１３】
【図１】本考案に係る建築用板状材の斜視図である。
【図２】本考案に係る建築用板状材の断面図である。
【考案を実施するための形態】
【００１４】
以下は各図面に参照しながら、本考案の好ましい実施形態について詳しく説明する。
【００１５】
図１及び図２に示されるように、本考案の建築用板状材は、板状本体１と、板状本体１の一面に塗装されている暗色系塗料層２とを有するものであり、板状本体１の内部に複数の空洞３が形成されている。
【００１６】
更に、図２に示されているように、板状本体１はその左右両端に係止突起１５と係止凹部１６を有し、係止突起１５と係止凹部１６とが互いに対応して係止突起１５が丁度係止凹部１６に嵌めこむことができる形状に形成されているので、板状本体１同士を組み合わせて広い面積の板状体を作製し、図示のようにエア釘打機などから射出される釘４でコンクリート壁５や地面などに固定することが可能である。
【００１７】
この実施形態において、暗色系塗料層２は共押出成形法により板状本体１と一体に形成されたが、この方法に限らず、プリントや貼り付けなどの方法で形成することも可能であり、そして板状本体１の両面に暗色系塗料層２を形成することも可能である。
【００１８】
また、本考案は板状本体１の内部に複数の空洞３を有することによって、板状本体１の軽量化やサイズの安定化を図ることができる。
【００１９】
板状本体１は、リサイクル可能なポリアミド（Ｎｙｌｏｎ）及びポリエチレンテレフタラート（ＰＥＴ）を含有する熱可塑性樹脂混合物と木質材料とにより作製される。
【００２０】
ポリアミドは、耐衝撃強度に優れるが、引張強度、曲げ強度、及び寸法安定性がやや劣る。ポリエチレンテレフタラートは寸法安定性、引張強度及び曲げ強度に優れるが、耐衝撃強度がよくない。本考案の考案者は、研究を重ねて、ポリアミドとポリエチレンテレフタラートとを含有する熱可塑性樹脂混合物を使用して製造された建築用板状材が引張強度、曲げ強度、寸法安定性など一般建材に要求される性能を満足でき、さらに、耐衝撃強度が予測以上に上がることを発見した。また、言うまでもないが、ポリアミドとポリエチレンテレフタラートの割合を調整することにより得られる熱可塑性樹脂混合物の物性も変わる。したがって、建材に要求される機械的強度や寸法安定性などを、更にコスト面をも考量すると、熱可塑性樹脂混合物において、ポリアミドが４０重量％〜６０重量％、ポリエチレンテレフタラートが４０重量％〜６０重量％含まれることが好ましい。ここで特筆すべきは、板状本体１は、熱圧やキャスティング、または押出成形など便利な方法で製造することが好ましいことである。
【００２１】
ポリアミドとポリエチレンテレフタラートとは、全く異なる材料であるので、これらの相溶性を向上させ、それぞれの結晶化速度のバランスを取り、更によりよい寸法安定性をもたらすように、本考案の建築用板状材に用いられる熱可塑性樹脂混合物は相溶化剤を含有している。相溶化剤は、単エポキシ基を有することが好ましく、エポキシシラン樹脂または脂環式エポキシ樹脂であることがより好ましい。
【００２２】
ポリアミドは、靱性を有する材料であり、これに対して、ポリエチレンテレフタラートは剛性を有する材料であるが低温下での耐衝撃強度がやや劣る。本考案の建築用板状材の耐衝撃強度及び低温下での特性（耐衝撃強度など）を向上させるため、変性剤を添加してもよい。ここで特筆すべきは、所定の耐衝撃強度などの機械的性質を得るためには、変性剤の種類或いは混合比も調整する必要があることである。本考案の好ましい実施形態においては、変性剤として無水マレイン酸グラフトエチレン-オクテンターポリマーを用い、建材に要求される強度を得るため、熱可塑性樹脂混合物の重量を基準に２重量％〜１０重量％含まれていることが好ましい。
【００２３】
また、建材としての安全性の考量から耐燃性が要求されるため、本考案の建築用板状材に用いる熱可塑性樹脂混合物はさらに難燃剤を含んでもよい。難燃剤は、窒素系難燃剤とリン系難燃剤と水酸系難燃剤とからなる群から選ばれるものを使用することが好ましい。
【００２４】
本考案の建築用板状材は木質材料を添加することで、本考案の建築用板状材に用いられる熱可塑性樹脂混合物に木材に近い質感を持たせることができ、また、応力伝達が良好である木質材料を熱可塑性樹脂混合物内に均一的に分散させることにより強度を向上させることができる。木質材料は、建材に要求される機械的強度や寸法安定性などを備えるため、本考案の建築用板状材に用いられる熱可塑性樹脂混合物の重量を基準に１０重量％〜７０重量％含まれることが好ましい。
【産業上の利用可能性】
【００２５】
上述のように、本発明に係る建材製造用の樹脂組成物によれば、天然木材に近い質感を持ち、強度（特に低温下での耐衝撃強度）が優れ、リサイクル可能で、環境に優しい利点がある上、軽量で寸法安定性が良好な建材を製造できる。
【符号の説明】
【００２６】
１  板状本体
１５  係止突起
１６  係止凹部
２  暗色系塗料層
３  空洞
４  釘
５  コンクリート壁
【図１】
0003173344.tif 000003
【図２】
0003173344.tif 000004